(57)【要約】  眼科用レンズは、中心及び離間した周辺部を有するオプチカルゾーンを含む。オプチカルゾーンは、第一の領域における第一の矯正度数範囲と、第一の領域を包囲する環状領域における第二の矯正度数範囲とを有する。第二の矯正度数は、眼の球面収差を矯正するものである。オプチカルゾーンは、第一の矯正度数から第二の矯正度数まで徐々に変化する度数プロフィールを有する。中間視力矯正を提供する中央累進ゾーンをレンズの中央領域に適用してもよい。累進ゾーンは、明るい光に暴露されたときの瞳孔の口径以下である直径を有する。
2007503011.tif 000002
【特許請求の範囲】
【請求項１】
中心及び離間した周辺部を有するオプチカルゾーンを含み、
オプチカルゾーンが、第一の領域における第一の矯正度数範囲と、第一の領域を包囲する環状領域における第二の矯正度数範囲とを有し、
第一の矯正度数範囲の下限が眼の顕性矯正屈折度数におよそ等しく、
第二の矯正度数範囲の上限が眼の顕性矯正屈折度数におよそ等しく、
第二の矯正度数範囲が、オプチカルゾーンの周辺部における眼の顕性矯正屈折度数よりも小さい、直径とともに変化するマイナスの球面収差を有し、
オプチカルゾーンが、オプチカルゾーンの光学度数がオプチカルゾーンの中心から周辺部まで減少するような度数プロフィールを有するものである眼科用レンズ。
【請求項２】
第一の領域が中心と同軸である、請求項１記載の眼科用レンズ。
【請求項３】
環状領域が中心と同軸である、請求項１記載の眼科用レンズ。
【請求項４】
第一の領域の表面がスプライン関数によって記述され、環状領域の表面が多項式又は円錐関数によって記述される、請求項１記載の眼科用レンズ。
【請求項５】
第一の矯正度数範囲の上限が眼の顕性矯正屈折度数よりも２〜６ジオプトリ大きい、請求項１記載の眼科用レンズ。
【請求項６】
６mm直径での矯正度数が眼の顕性矯正屈折度数よりも０．５〜２ジオプトリ小さい、請求項１記載の眼科用レンズ。
【請求項７】
オプチカルゾーンが軸を有し、オプチカルゾーンの軸が眼の視線と整合している、請求項１記載の眼科用レンズ。
【請求項８】
第一の領域が、明るい光に暴露された瞳孔の直径以下である第一の直径を有する円形ゾーンである、請求項２記載の眼科用レンズ。
【請求項９】
第一の直径が２．０mm未満である、請求項８記載の眼科用レンズ。
【請求項１０】
第一の矯正度数範囲の上限が眼の顕性矯正屈折度数よりも２〜６ジオプトリ大きく、６mm直径での矯正度数が眼の顕性矯正屈折度数よりも０．５〜２ジオプトリ小さい、請求項９記載の眼科用レンズ。
【請求項１１】
中心及び眼科用レンズの光軸と同軸である離間した周辺部を有する眼科用レンズを設計する方法であって、
（ａ）レンズが、第一の直径を有する第一の中央円形領域で第一の矯正度数範囲を有し、第一の直径から、環状領域の外径である第二の直径まで外に延びる環状領域で、眼の顕性矯正屈折度数よりも小さい、直径とともに変化するマイナスの球面収差を有する第二の矯正度数範囲を有するようなレンズの度数プロフィールの記述を生成するステップ、
（ｂ）スプライン関数を再帰的に生成して第一の中央円形領域の表面を画定するステップ、及び
（ｃ）第一のオプチカルゾーンの表面に正接する表面を記述する多項式又は円錐関数を生成するステップ
を含み、第一の中央円形領域の表面が環状領域の表面に正接し、スプライン関数及び多項式又は円錐関数によって記述される表面がレンズの度数プロフィールを提供するものである方法。
【請求項１２】
第一の直径が、明るい光に暴露された瞳孔の直径以下である、請求項１１記載の方法。
【請求項１３】
レンズを製造する方法であって、
（ａ）第一の直径を有する中央オプチカルゾーンにおける中間視力矯正のための第一の矯正度数範囲と、中央オプチカルゾーンから第二の直径まで外に延びる環状オプチカルゾーンにおける、眼の球面収差を矯正することができる第二の矯正度数範囲とを有するレンズの度数プロフィールを決定するステップ、
（ｂ）度数プロフィールを有するレンズのモデルを生成するステップ、及び
（ｃ）３軸旋盤上でツール、型又はレンズを製造して、処方された光学度数プロフィールに対応する面及び光学面を創出するステップ
を含む方法。
【請求項１４】
第一の矯正度数範囲が、「コンピュータ視力」に使用される矯正度数を含む、請求項１３記載の方法。
【請求項１５】
中央オプチカルゾーンが２mm未満の直径を有する、請求項１３記載の方法。
【請求項１６】
環状オプチカルゾーンが、多項式又は円錐関数によって記述される表面を含む、請求項１３記載の方法。
【請求項１７】
中央オプチカルゾーンが、スプライン関数によって記述される表面を含む、請求項１３記載の方法。
【請求項１８】
第一の矯正度数範囲の上限が眼の顕性矯正屈折度数よりも２〜６ジオプトリ大きい、請求項１７記載の方法。
【請求項１９】
６mm直径での矯正度数が眼の顕性矯正屈折度数よりも０．５〜２ジオプトリ小さい、請求項１７記載の方法。
【発明の詳細な説明】
【技術分野】
【０００１】
関連特許出願の相互参照
２００３年７月２３日出願の「Method for Manufacturing a Contact lens」と題する同時係属中の国際特許出願ＷＯ２００４／０１１９９０Ａ１を参照する。
【０００２】
発明の背景
発明の分野
本発明は、眼科用レンズに関し、より具体的には、視力に最適な度数プロフィールを有する眼科用レンズに関する。
【０００３】
従来技術の説明
コンタクトレンズは、多くの様々なタイプの視覚障害を矯正するために広く使用されている、角膜前面に装着される眼科用レンズである。視覚障害としては、近視及び遠視、乱視ならびに普通は加齢に伴う近傍範囲視力の欠陥（老眼）のような障害がある。典型的な単焦点コンタクトレンズは、レンズが平行光線に対して垂直に配置されたときその平行光線が集束する点である真又は虚焦点と、焦点からレンズのオプチカルゾーンの中心まで引かれる仮想線である光軸とを有する。コンタクトレンズの後面が角膜に対してフィットし、反対側の前面が、光を屈折させて視力を矯正するオプチカルゾーンを有する。典型的な球面レンズの場合、オプチカルゾーンは、オプチカルゾーン上の任意の点から曲率中心とも呼ばれる光軸上の点までの距離である、単一の曲率半径を有する。
【０００４】
オプチカルゾーンは通常、装用者の屈折誤差を矯正するコンタクトレンズの中央区分にある。
【０００５】
典型的な人の眼は、本質的に、角膜及び水晶体の光学特性の結果として、瞳孔の直径が拡大するにつれ、増大する量の球面収差を示す。通常、成人の球面収差は、直径６mmの瞳孔の場合で約１ジオプトリであるが、８mmの瞳孔の場合では、眼の球面円柱顕性屈折にかかわらず、２ジオプトリよりもわずかに小さい。球面収差は通常、夜間の、すなわち瞳孔が散大しているときの、視力低下を生じさせる。図１Ａは、＋６ジオプトリ１２、０ジオプトリ１４及び−１０ジオプトリ１６のための球面又はトーリック面を有するように設計されたレンズの度数１０を示す図である。オプチカルゾーン又は瞳孔の範囲での度数の変化はレンズの球面収差である。破線１４は、平屈折を有する人の場合の眼の公称球面収差量を示す。
【０００６】
コンピュータユーザを含む人又は老眼が出始めた人は、約２〜３フィートの範囲にある、コンピュータ画面のような物体を見るための中間矯正度数を要する。一般に、コンピュータモニタからの光は瞳孔の直径を収縮（縮瞳）させる。中間矯正を提供するコンタクトレンズは存在するが、通常のレンズと中間用レンズとの間で何度も取り替えなければならないことはユーザにとって厄介である。中間だけの単焦点は大部分の人にとって受け入れがたい。
【０００７】
したがって、眼の球面収差を矯正するコンタクトレンズが要望される。
【０００８】
また、特定の状況下で中間矯正を提供するが、損なわれることのない遠見視力矯正をも提供するコンタクトレンズが要望される。
【０００９】
発明の概要
従来技術の欠点は、一つの態様では中心及び離間した周辺部を有するオプチカルゾーンを含む眼科用レンズである本発明によって解消される。オプチカルゾーンは、第一の領域における第一の矯正度数範囲と、第一の領域を包囲する環状領域における第二の矯正度数範囲とを有する。第一の矯正度数範囲の下限は顕性屈折度数の周辺である。第二の矯正度数範囲は、顕性屈折度数よりも小さい、直径とともに変化するマイナスの球面収差を含む。オプチカルゾーンは、レンズの矯正度数が中心から周辺部まで減少する度数プロフィールを有する。
【００１０】
オプチカルゾーンは、中心とほぼ同軸である第一の領域に第一の可変性光学度数矯正ゾーンを有し、中心と同軸であり、第一の可変性光学度数矯正ゾーンを包囲する環状領域中に第二の矯正度数ゾーンを有する。第二の矯正領域は、直径６mmの瞳孔における所定の量で眼の球面収差を矯正する。第一の領域の表面は、中間視力に最適な度数プロフィールを提供するためにスプラインによって画定される。第一の度数プロフィール範囲の下限（すなわち、第一の領域と環状領域との境界における光学度数）は、顕性距離屈折度数におよそ等しい。オプチカルゾーンは、第一の矯正度数から第二の矯正度数まで徐々に変化する度数プロフィールを有する。第一の矯正度数領域の表面は環状領域の表面に正接する。第一の実施態様では、第一の光学度数ゾーンは、ベースカーブのオプチカルゾーンへの摂動であってもよい。第二の実施態様では、第一のオプチカルゾーンは、フロントカーブへの摂動であってもよい。
【００１１】
したがって、一つの態様で、本発明は、中心及び離間した周辺部を有するオプチカルゾーンを含み、
オプチカルゾーンが、第一の領域における第一の矯正度数範囲と、第一の領域を包囲する環状領域における第二の矯正度数範囲とを有し、
第一の矯正度数範囲の下限が眼の顕性矯正屈折度数におよそ等しく、
第二の矯正度数範囲の上限が眼の顕性矯正屈折度数におよそ等しく、
第二の矯正度数範囲が、オプチカルゾーンの周辺部における眼の顕性矯正屈折度数よりも小さい、直径とともに変化するマイナスの球面収差を有し、
オプチカルゾーンが、オプチカルゾーンの光学度数がオプチカルゾーンの中心から周辺部まで減少するような度数プロフィールを有するものである眼科用レンズに関する。
【００１２】
もう一つの態様で、本発明は、眼科用レンズを製造する方法であって、レンズが、光軸に隣接する地点で第一の可変性矯正度数ゾーンを有し、周辺部に隣接し、第一の矯正度数ゾーンを包囲する第二の矯正度数ゾーンを有するようなレンズの度数プロフィールを決定する方法である。第二の矯正度数ゾーンは眼の球面収差を矯正することができる。度数プロフィールを有するレンズのモデルを生成する。レンズ、型又はツールを旋盤上で回転させて、モデルに合致する形状を有する物体を創出する。
【００１３】
したがって、もう一つの態様で、本発明は、レンズを製造する方法であって、
（ａ）第一の直径を有する中央オプチカルゾーンにおける中間視力矯正のための第一の矯正度数範囲と、中央オプチカルゾーンから第二の直径まで外に延びる環状オプチカルゾーンにおける、眼の球面収差を矯正することができる第二の矯正度数範囲とを有するレンズの度数プロフィールを決定するステップ、
（ｂ）度数プロフィールを有するレンズのモデルを生成するステップ、及び
（ｃ）３軸旋盤上でツール、型又はレンズを製造して、処方された光学度数プロフィールに対応する面及び光学面を創出するステップ
を含む方法に関する。
【００１４】
さらなる態様で、本発明は、光軸及び光軸と同軸又はほぼ同軸である離間した周辺部を有する眼科用レンズを設計する方法である。レンズの度数プロフィールの記述は、レンズが、光軸に隣接する点で第一の矯正度数ゾーンを有し、周辺部に隣接し、第一の矯正度数ゾーンを包囲する第二の矯正度数ゾーンを有するように生成する。第二の矯正ゾーンは、６mmの直径における所定の量で眼の球面収差を矯正する。第一の矯正度数の表面は、最適な度数プロフィールを創出するためにスプライン関数によって画定される。第一の度数ゾーン記述は、レンズ上の所定数の等間隔点でサンプリングされ、スプライン関数がそれらの点を通過するように適合されて可変性度数プロフィールを創出する。四次多項式が第二の光学度数ゾーンを記述する。第一の光学ゾーン、可変性ＡＤＤゾーンの光学度数は常にベースレンズ矯正の光学度数以上である。
【００１５】
したがって、さらなる態様で、本発明は、中心及び眼科用レンズの光軸と同軸である離間した周辺部を有する眼科用レンズを設計する方法であって、
（ａ）レンズが、第一の直径を有する第一の中央円形領域で第一の矯正度数範囲を有し、第一の直径から、環状領域の外径である第二の直径まで外に延びる環状領域で、眼の顕性矯正屈折度数よりも小さい、直径とともに変化するマイナスの球面収差を有する第二の矯正度数範囲を有するようなレンズの度数プロフィールの記述を生成するステップ、
（ｂ）スプライン関数を再帰的に生成して第一の中央円形領域の表面を画定するステップ、及び
（ｃ）第一のオプチカルゾーンの表面に正接する表面を記述する多項式又は円錐関数を生成するステップ
を含み、第一の中央円形領域の表面が環状領域の表面に正接し、スプライン関数及び多項式又は円錐関数によって記述される表面がレンズの度数プロフィールを提供するものである方法に関する。
【００１６】
もう一つの態様で、本発明は、光軸、中央オプチカルゾーン及び中央オプチカルゾーンを包囲する周辺オプチカルゾーンを有する眼科用レンズである。中央オプチカルゾーンは、第一の直径ならびに近見及び中間視力に対応する第一の矯正度数範囲を有する。周辺オプチカルゾーンは、第一の直径よりも大きい第二の直径を有する。周辺オプチカルゾーンは、中央オプチカルゾーンと同軸又はほぼ同軸であり、中間距離視力矯正を提供する。
【００１７】
本発明のこれらの態様及び他の態様は、好ましい実施態様の以下の記載を図面と併せて理解することによって明らかになる。当業者には自明であるように、開示の新規な概念の本質及び範囲を逸することなく、本発明の多くの変形及び改変を実現することができる。
【００１８】
発明の詳細な説明
本明細書で使用する「顕性屈折」とは、ユーザの自覚的な最良の眼の矯正をいう。「顕性矯正屈折度数」とは、ユーザの自覚的な最良の眼の矯正を達成するために必要な屈折度数をいう。
【００１９】
レンズを参照して本明細書で使用する「マイナスの球面収差」とは、直径の値が減少するにつれて光学度数が低下することをいう。球面収差の量は直径に依存する。マイナスの球面収差を有するレンズの場合、中心におけるその光学度数は、いかなる直径における光学度数よりも大きい。レンズがマイナス度数（たとえば−６ジオプトリ）を有する場合、任意の直径におけるその光学度数は中心におけるその光学度数よりもマイナスである。
【００２０】
本発明の一つの実施態様は、眼の球面円柱顕性屈折にかかわらず、成人の場合の直径６mmの瞳孔で約１ジオプトリである眼の公称球面収差量を相殺するレンズである。本発明のレンズは、角膜の中心からの距離の関数としての矯正を示す度数プロフィール図１００である図１Ｂに示す度数プロフィールを有する。曲線１０２は、＋６ジオプトリの矯正（すなわち顕性屈折度数）を要する眼の場合の曲線であり、曲線１０４は、本来なら矯正を要しない正常な眼の場合の曲線であり、曲線１０６は、−１０ジオプトリの矯正（すなわち顕性屈折度数）を要する眼の場合の曲線である。本質的に、本発明のこの実施態様では、レンズの光学度数は中心から外周へと外方向に低下して、６mm直径での光学度数はその眼の公称矯正量（すなわち顕性屈折度数）よりも１ジオプトリ小さくなる。
【００２１】
図１Ｃに示す一つの実施態様では、中央（累進とも呼ぶ）ゾーン１１０をレンズに加えることもできる。中央ゾーン１１０は、レンズに対して中央の領域で中間視力矯正１１２を提供するが、周辺ゾーン１０６ｃは球面収差の矯正を提供する。ユーザがコンピュータ画面の前にいるとき、画面からの光がユーザの瞳孔を、ほぼ、瞳孔が中央ゾーン１１０に包含される点まで収縮させ（縮瞳）、それにより、レンズは、コンピュータ使用に最適である中間矯正を提供する。ユーザが低光度状況（暗順応視）にあるときは、瞳孔の口径が、眼に入る光の大部分が中央ゾーン１１０の外にある点まで散大するため、中央ゾーン１１０はユーザの視力に対してほとんど影響しない。ユーザが明るい光の条件、たとえば陽光中にあるとき、ユーザの瞳孔は、中央ゾーン１１０の効果にかかわらず、合焦効果が大部分の物体をピントが合った状態にする点まで収縮する。光学系の場合、焦点深度は瞳孔直径と反比例する。したがって、明るい光の下では遠くの物体にピントが合う。図１Ｄ及び１Ｅは代替度数プロフィールを示す。図１Ｄに示すレンズプロフィール１０６ｄのＡＤＤ関数（レンズに加えられる度数の量及びＡＤＤゾーンの関数形状）は通常、１．５mm〜３mmの直径を有するであろうが、図１Ｅに示すレンズプロフィール１０６ｅのＡＤＤ関数は通常、約２．２mm未満、好ましくは約１．０mm〜約１．８mmの直径を有するであろう。
【００２２】
本発明の一つの実施態様のレンズは、好ましくは、レンズのモデル２０２を生成することによって設計することができる。モデルは、レンズの二つの対向面の一方のオプチカルゾーン２１６の記述を含む。オプチカルゾーン２１６は、中心２１４に対して同軸又はほぼ同軸の領域２０４と、中心２１４と同軸であり、周辺部２０６に隣接する環状領域２０８とを有する。領域２０４は、中間矯正のための光学度数（第一の光学度数範囲）を提供する。環状領域２０８は、顕性矯正屈折度数よりも小さい、変化する光学度数（第二の光学度数範囲）を有し、眼の球面収差を補正するためのマイナスの球面収差を含む。オプチカルゾーン２１６は、オプチカルゾーン２１６の中心から周辺部まで徐々に変化する度数プロフィールを有する。所望の度数プロフィールを決定したのち、公知の適切な方法にしたがって、所望の光学度数プロフィールを提供するオプチカルゾーン２１６の表面を画定する数学的記述を生成することができる。たとえば、オプチカルゾーン２１６の表面を画定するための数学的記述は、再帰的に生成することができる。レンズの所望の度数プロフィールは、レンズ上の所定数の等間隔点２１２でサンプリングすることができる。好ましくは、グリッド２１０を使用して等間隔点２１２を決定することもでき、それらの点それぞれで、一つの光学度数を提供するための一つの曲率がある。従来のコンピュータベースの解析ツールを使用して、環状領域２０８中に位置する等間隔点それぞれを接続し、変化する光学度数を提供する表面を記述する四次多項式（又は円錐関数）を生成する。従来のコンピュータベースの解析ツールを使用して、第一の度数ゾーン２０４内の等間隔点２１２それぞれを接続し、第一の光学度数範囲を提供する表面を記述するスプライン関数を生成する。第一のオプチカルゾーン２０４の表面は環状領域２０８の表面に正接する。そして、スプライン及び四次多項式によって記述された表面を従来のコンタクトレンズ旋盤システム又は機能的に同等なシステムによって使用してレンズを製造する。好ましくは、第二の矯正度数は、平均的な眼の角膜直径の範囲での公称球面収差を相殺するため、６mmゾーン直径で顕性矯正度数マイナス１ジオプトリに等しい。オプチカルゾーン２１６が回転対称である場合、オプチカルゾーンの表面は、中心２１４を通過する軸を中心に曲線を回転させることによって形成することができる。
【００２３】
中間矯正を使用する実施態様が図３に示されている。この実施態様では、レンズ３０２は、中心３１４及び周辺ゾーン３０６を有するオプチカルゾーン３１６を含む。中央ゾーン３１０は、オプチカルゾーン３１６に対して概ね中央にある。本発明のレンズ４０２のいくつかの実施態様の断面図が図４Ａ〜４Ｄに示されている。各実施態様は、後面４０８及び反対側の前面４０６を有するレンズ４０２を含む。レンズはまた、オプチカルゾーン４１４を有し、さらに、角膜を完全に覆うため、レンズの周辺端部に非光学領域４０４を有することもできる。オプチカルゾーン４１４は、中央領域４１６及び中央領域４１６とほぼ同軸である環状領域４１０を含む。図４Ａに示すように、中央領域４１６の前面側４０６の少なくとも一部のトポグラフィーは、累進ゾーン４１２ａを加えるために改変することもできる。同様に、図４Ｂに示すように、後面側４０８のトポグラフィーを改変することによって累進ゾーン４１２ｂを形成することもできる。眼１２に適用されたレンズ４０２が図４Ｃに示されている。通常、レンズは、ダブルスラブオフ設計、プリズムバラスト又は非プリズムバラスト設計を使用して安定化することができる。
【００２４】
累進ゾーン３１０のＡＤＤ関数は、ほとんどの場合、装用者の年齢の関数である。しかし、理想的なレンズは、装用者の生活様式にも対応する。レンズ周辺部の球面収差の理想的な量は、通常、高齢（老眼）者の場合に、よりマイナスになるように設計される。
【００２５】
本発明の眼科用レンズは、公知の適切な光学設計システムを使用して設計することができる。光学モデルレンズを設計するための典型的な光学コンピュータ援用設計システムとしては、ＺＥＭＡＸ（ZEMAX Development社）があるが、これに限定されない。好ましくは、ＺＥＭＡＸ（ZEMAX Development社）のようなツールを使用して光学設計を実施する。光学モデルレンズの設計は、たとえば、機械的コンピュータ援用設計（ＣＡＤ）システムにより、物理的レンズを製造するための機械的パラメータのセットに変換することができる。公知の適切な機械的ＣＡＤシステムを本発明に使用することができる。光学モデルレンズの設計は、受け側のシステム、すなわち光学ＣＡＤ又は機械的ＣＡＤが所期の設計のＮＵＲＢｓ（不均一有理Ｂスプライン）又はベジエ面を構成することを可能にする変換フォーマットを使用して、光学ＣＡＤシステムと機械的ＣＡＤシステムとの間で両方向に変換することができる。典型的な変換フォーマットとしては、ＶＤＡ（verband der automobilindustrie）及びＩＧＥＳ（Initial Graphics Exchange Specification）があるが、これらに限定されない。このような変換フォーマットを使用することにより、レンズの全面を、半径方向非対称形状を有するレンズの製造を容易にする連続形状にすることができる。ベジエ及びＮＵＲＢｓ面は、多数のゾーンをブレンドし、解析し、最適化することができるため、オプチカルゾーン及び非光学ゾーンを含む複数のゾーンを有するレンズに特に有利である。より好ましくは、機械的ＣＡＤシステムは、高次面を正確かつ数学的に表すことができる。このような機械的ＣＡＤシステムの一例は、Parametric TechnologyのPro/Engineerである。
【００２６】
光学モデルレンズの設計を一連の機械的パラメータに変換する場合には、一群の眼科用レンズに共通の特徴パラメータをレンズ設計過程で組み込むことができる。そのようなパラメータの例は、収縮、非光学エッジゾーン及びその曲率、中心厚さ、光学度数の範囲などを含む。
【００２７】
本発明の眼科用レンズは、たとえばコンピュータ制御可能な製造装置、成形などをはじめとする簡便な製造手段によって製造することができる。「コンピュータ制御可能な製造装置」とは、コンピュータシステムによって制御することができ、眼科用レンズを直接製造することができる、又は眼科用レンズを製造するための光学ツールを製造することができる装置をいう。公知の適切なコンピュータ制御可能な製造装置を本発明に使用することができる。典型的なコンピュータ制御可能な製造装置としては、旋盤、研磨機、成形設備及びレーザがあるが、これらに限定されない。好ましくは、コンピュータ制御可能な製造装置は、４５°圧電カッタを有する２軸旋盤又は米国特許第６，１２２，９９９号でDurazo及びMorganによって開示されている旋盤装置又は数値制御式旋盤、たとえばPrecitech社の、Variform（登録商標）もしくはVarimax圧電セラミック高速ツールサーボアタッチメントを有するOptoform（登録商標）超精密旋盤（モデル３０、４０、５０及び８０）である。
【００２８】
好ましくは、コンタクトレンズは、レンズが型で流し込み成形されるときコンタクトレンズ表面を複製する成形面を含むコンタクトレンズ型から成形される。たとえば、数値制御式旋盤を備えた光学切削ツールを使用して、本発明のコンタクトレンズの前面の構造を取り入れた金属光学ツールを形成することができる。そして、そのツールを使用して前面型を製造したのち、それを後面型と関連させて、適切な液体レンズ形成材料を両型の間に配置し、次いでレンズ形成材料を圧縮し、硬化させることによって本発明のレンズを形成する。
【００２９】
好ましくは、本発明の眼科用レンズ又は同レンズを製造するために使用される光学ツールは、数値制御式旋盤、たとえばPrecitechの、Variform（登録商標）又はVarimax圧電セラミック高速ツールサーボアタッチメントを有するOptoform（登録商標）超精密旋盤（モデル３０、４０、５０及び８０）を使用することによって製造される。
【００３０】
実例として、緯線方向リッジを有する斜面付きリッジゾーンを有する平行移動コンタクトレンズを以下の工程によって製造する。第一に、ユーザが一連のパラメータ、たとえば表面許容差、同心性許容差、レンズ設計の向き、ゼロ点を０、０に形成して前面及び後面それぞれに生成される半直径スポークの数、Ｚ軸の向き及び形状に変換されるレンズ表面のタイプ（凹面又は凸面）を設定する。「表面許容差」とは、レンズ設計の表面上の理想位置からの投影点の許される位置逸脱をいう。逸脱は、レンズ設計の中心軸に対して平行又は垂直のいずれの方向であることもできる。「同心性許容差」とは、所与の弧からのある点の許される逸脱をいう。「半直径スポーク」とは、中心軸から外に放射状に延び、中心軸に対して垂直であり、表面に投影される曲線をいう。「等間隔の半直径スポーク」とは、すべての半直径スポークが中心軸から外に放射状に延び、一つの等しい角度だけ互いに離れていることをいう。「点間隔」とは、半直径スポーク沿いの二つの点の間の距離をいう。
【００３１】
第二に、ユーザが、中心軸に対して平行な方向で多数の等間隔の半直径スポークそれぞれに沿ってレンズ設計の表面（たとえば前面）に投影する点密度を決定する。方位角にある半直径スポークが、ベース円錐面を最大に逸脱する構造に対応し、これを半直径プロービングスポークとして選択する。半直径プロービングスポークに沿って、等間隔の点を、点の各対が通常は１０ミクロンの点間隔によって分けられる状態で投影する。次に、投影した点すべてを、それぞれが３個の連続する点、すなわち第一の点、中間点及び第三の点で構成される一連の群に分割する。各点は、一つの群又は二つの群に属することができる。一度に一群ずつ、中間点と、対応する群の第一の点及び第三の点を連結する線との間の距離を所定の表面許容差と比較することにより、中心軸からエッジまで又はエッジから中心軸まで、群の中間点の表面の曲率を解析する。中間点と、群の第一の点及び第三の点を連結する線との間の距離が所定の表面許容差よりも大きいならば、その点での表面の曲率は鋭く、その群の第一の点と中間点との間にさらなる点を投影する。第一の点とさらなる点との間の点間隔は、さらなる点と中間点との間の点間隔に等しい。さらなる点を追加したのち、新たに追加された点を含むすべての点を再分類し、一連の群それぞれの中間点における表面の曲率を解析する。一連の群それぞれの中間点と、対応する群の第一及び第三の点をプロービングスポークに沿って連結する線との間の距離が所定の表面許容差以下になるまで、このような反復手順を繰り返す。このようにして、所望の数の等間隔の半直径スポークそれぞれに沿ってレンズ設計の表面に投影される点の数及び隣接する点の一連の対の点間隔を決定する。
【００３２】
好ましい実施態様では、次に、上記のように決定した数の点を、２４、９６又は３８４個の半直径スポークそれぞれに沿ってレンズ設計の前面に投影する。他の数のスポークが可能である。半直径スポークごとに、第一導関数で連続的である半経線を生成する。半経線は、一連の弧及び場合によっては直線を含み、各弧は、少なくとも３個の連続する点を所望の同心性許容差内で球面数学的関数に当てはめることによって画定される。各直線は、少なくとも３個の連続する点を接続することによって得られる。好ましくは、中心軸からエッジまでの弧当てはめルーチンを開始する。同様に、上記手順にしたがって、レンズ設計の後面を形状に変換することができる。
【００３３】
レンズ設計を、製造システムで製造されるコンタクトレンズの形状に変換したのち、ヘッダの情報及びレンズの形状に関する情報を含むミニファイル又は同等なフォーマットを作成する。このミニファイルはまた、半径方向位置それぞれにおける他の経線それぞれの平均高さに基づき、その振動計算を基づかせることができるゼロ位置をVariform又はVarimaxに与えるゼロ半経線を含む。このミニファイルで、すべての半経線は同数のゾーンを有する。これは、すべての経線に関してゾーン数を均等化するための回数だけ半経線の最後のゾーンをコピーすることによって達成される。ミニファイルが完成したのち、それを、Variform（登録商標）圧電セラミック高速ツールサーボアタッチメントを有するOptoform（登録商標）超精密旋盤（モデル３０、４０、５０又は８０）にロードし、実行して平行移動コンタクトレンズを製造する。
【００３４】
具体的な用語、装置及び方法を使用して本発明の様々な実施態様を記載したが、このような記載は、例を示すだけのものである。使用した語は説明のための語であり、限定のための語ではない。請求の範囲に記載する本発明の本質又は範囲を逸することなく当業者によって変形及び改変が加えられうるということが理解されよう。加えて、様々な実施態様は、全体的又は部分的に互換可能であるということが理解されるべきである。したがって、請求の範囲の本質及び範囲は、本明細書に含まれる好ましい態様の記載に限定されるべきではない。
【図面の簡単な説明】
【００３５】
【図１Ａ】３タイプのレンズの従来技術球面収差曲線を視線からの距離の関数として示す度数プロフィール図である。
【図１Ｂ】本発明の一つの実施態様の３タイプのレンズの矯正度数曲線を視線からの距離の関数として示す度数プロフィール図である。
【図１Ｃ】累進ゾーンがレンズの中央に加えられた本発明の一つの実施態様の３タイプのレンズの矯正度数曲線を角膜の中心からの距離の関数として示す度数プロフィール図である。
【図１Ｄ】代替度数プロフィールを示す図である。
【図１Ｅ】代替度数プロフィールを示す図である。
【図２】レンズモデルのマップの点を選択するためのグリッドの使用を示す概念図である。
【図３】本発明の一つの態様のレンズの前面図である。
【図４Ａ】本発明の第二の態様のレンズの断面図である。
【図４Ｂ】本発明のレンズの代替態様の断面図である。
【図４Ｃ】眼に適用された状態の本発明のレンズの断面図である。
【図１Ａ】
2007503011.tif 000003
【図１Ｂ】
2007503011.tif 000004
【図１Ｃ】
2007503011.tif 000005
【図１Ｄ】
2007503011.tif 000006
【図１Ｅ】
2007503011.tif 000007
【図２】
2007503011.tif 000008
【図３】
2007503011.tif 000009
【図４Ａ】
2007503011.tif 000010
【図４Ｂ】
2007503011.tif 000011
【図４Ｃ】
2007503011.tif 000012
【国際調査報告】
2007503011.tif 000013
2007503011.tif 000014
2007503011.tif 000015